(57)【特許請求の範囲】
【請求項１】
通信対象装置からの撮像画像を受信する受信部と、
前記受信部が受信した撮像画像から前記通信対象装置のユーザの顔を含む顔領域を検出する検出部と、
前記検出部が検出した顔領域の情報に基づいて、前記通信対象装置のユーザの人数を把握する把握部と、
情報処理装置のユーザが視る表示画面における第１の表示領域と第２の表示領域との表示比率の情報に基づいて、前記表示画面において前記第１の表示領域と前記第２の表示領域とを設定する設定部と、
前記検出部が検出した顔領域の情報と、前記把握部による前記通信対象装置のユーザの人数の把握の結果と、前記設定部が設定した前記第２の表示領域の情報とに基づいて、前記撮像画像から前記第２の表示領域に表示する表示画像を生成する生成部と、
前記表示画面における前記第２の表示領域に、前記生成部が生成した表示画像を表示させる制御部と、
を備え、
前記生成部は、前記検出部が検出した顔領域の情報に基づいて、少なくとも前記通信対象装置のユーザの顔の特徴的な部分が前記表示画像に含まれるように、前記撮像画像を切り出して、前記表示画像を生成し、
前記生成部は、前記撮像画像において複数のユーザが所定の距離以内に位置する場合には、同一な画像が表示される同一領域が前記表示画像に含まれないように、前記撮像画像に含まれる複数のユーザの各々について顔の特徴的な部分を含む領域を切り出すことにより、前記表示画像を生成する、情報処理装置。
【請求項２】
前記生成部は、前記把握部による前記通信対象装置のユーザの人数の把握の結果、前記通信対象装置のユーザの人数が複数であるときは、前記表示画面における前記第２の表示領域において横方向に前記通信対象装置の複数のユーザの顔が並ぶように、前記撮像画像を切り出して、前記表示画像を生成する、請求項１に記載の情報処理装置。
【請求項３】
前記生成部は、前記把握部による前記通信対象装置のユーザの人数の把握の結果、前記通信対象装置のユーザの人数が複数であるときは、前記表示画面における前記第２の表示領域において縦方向に前記通信対象装置の複数のユーザの顔が並ぶように、前記撮像画像を切り出して、前記表示画像を生成する、請求項１に記載の情報処理装置。
【請求項４】
前記生成部は、前記把握部による前記通信対象装置のユーザの人数の把握の結果、前記通信対象装置のユーザの人数が複数であるときは、前記表示画面における前記第２の表示領域においてマトリックス状に前記通信対象装置の複数のユーザの顔が並ぶように、前記撮像画像を切り出して、前記表示画像を生成する、請求項１に記載の情報処理装置。
【請求項５】
前記制御部は、前記表示画面における前記第１の表示領域に、画像サイズが縮小されたコンテンツを表示させる、請求項１に記載の情報処理装置。
【請求項６】
前記検出部は、さらに、前記表示画面を有する表示部または表示装置の表示方向における被写体を撮像可能な撮像部または撮像装置により得られた他の撮像画像から前記情報処理装置のユーザの顔を含む顔領域を検出し、
前記把握部は、さらに、前記検出部が検出した前記情報処理装置のユーザの顔を含む顔領域の情報に基づいて、前記情報処理装置のユーザの人数を把握し、
前記生成部は、さらに、前記検出部が検出した前記情報処理装置のユーザの顔を含む顔領域の情報と、前記把握部による前記情報処理装置のユーザの人数の把握の結果とに基づいて、前記撮像画像および前記他の撮像画像から前記第２の表示領域に表示する表示画像を生成する、請求項１に記載の情報処理装置。
【請求項７】
前記受信部が前記通信対象装置からの撮像画像、および当該撮像画像から検出された前記通信対象装置のユーザの顔を含む顔領域の情報を受信した場合には、前記検出部は、前記受信部が受信した撮像画像から前記通信対象装置のユーザの顔を含む顔領域の検出を行わず、
前記把握部は、前記受信部が受信した顔領域の情報に基づいて、前記通信対象装置のユーザの人数を把握し、
前記生成部は、前記検出部が検出した顔領域の情報に代えて前記受信部が受信した顔領域の情報に基づいて、前記表示画像を生成する、請求項１に記載の情報処理装置。
【請求項８】
前記生成部は、前記検出部が検出した顔領域の情報に基づいて、無駄な領域としての無効領域が前記表示画像に含まれないように、前記撮像画像を切り出して、前記表示画像を生成する、請求項１に記載の情報処理装置。
【請求項９】
通信インタフェースが、通信対象装置からの撮像画像を受信する受信ステップと、
プロセッサが、前記受信ステップで受信した撮像画像から前記通信対象装置のユーザの顔を含む顔領域を検出する検出ステップと、
前記プロセッサが、前記検出ステップで検出した顔領域の情報に基づいて、前記通信対象装置のユーザの人数を把握する把握ステップと、
前記プロセッサが、情報処理装置のユーザが視る表示画面における第１の表示領域と第２の表示領域との表示比率の情報に基づいて、前記表示画面において前記第１の表示領域と前記第２の表示領域とを設定する設定ステップと、
前記プロセッサが、前記検出ステップで検出した顔領域の情報と、前記把握ステップでの前記通信対象装置のユーザの人数の把握の結果と、前記設定ステップで設定した前記第２の表示領域の情報とに基づいて、前記撮像画像から前記第２の表示領域に表示する表示画像を生成する生成ステップと、
前記プロセッサが、前記検出ステップで検出した顔領域の情報に基づいて、少なくとも前記通信対象装置のユーザの顔の特徴的な部分が前記表示画像に含まれるように、前記撮像画像を切り出して、前記表示画像を生成するステップと、
前記プロセッサが、前記撮像画像において複数のユーザが所定の距離以内に位置する場合には、同一な画像が表示される同一領域が前記表示画像に含まれないように、前記撮像画像に含まれる複数のユーザの各々について顔の特徴的な部分を含む領域を切り出すことにより、前記表示画像を生成するステップと、
前記プロセッサが、前記表示画面における前記第２の表示領域に、前記生成ステップで生成した表示画像を表示させる制御ステップと、
を有する、情報処理方法。
【発明の詳細な説明】
【技術分野】
【０００１】
本発明は、情報処理装置および情報処理方法に関する。
【背景技術】
【０００２】
従来、遠隔地にいるユーザ同士の交流に用いる装置として、電話、いわゆるテレビ電話、ビデオ会議システムなどが存在する。また、パーソナルコンピュータなどを用いてインターネットに接続し、テキストチャット、映像と音声を伴うビデオチャットなどを行う方法もある。
【０００３】
このような中、電子機器などの装置の高機能化や多機能化がますます進み、例えば、テレビジョン受像機では、ネットワーク通信機能を備え、放送局から番組の映像および音声コンテンツを受信して表示するのみならず、他の受像機との間で各種情報をやりとりすることが可能となっている。
【０００４】
例えば、特許文献１には、テレビジョン受像機においてユーザがテレビジョン放送の番組コンテンツを視聴する際に、登録された他のユーザに関する情報（例えば、他のユーザのサムネイル画像、他のユーザが視聴しているコンテンツの名称、チャンネル、映像など）を、番組コンテンツと並行して表示する技術が開示されている。
【先行技術文献】
【特許文献】
【０００５】
【特許文献１】特開２００６−５０３７０号公報
【発明の概要】
【発明が解決しようとする課題】
【０００６】
ところで、テレビジョン受像機などの表示装置においては、例えば、コンテンツの表示と、外部からネットワーク通信により受信した画像（以下、「通信画像」という。）の表示とを並行して行う際には、ＰＩＰ（Ｐｉｃｔｕｒｅ  ｉｎ  Ｐｉｃｔｕｒｅ）表示やＰＯＰ（Ｐｉｃｔｕｒｅ  ｏｎ  Ｐｉｃｔｕｒｅ）表示などの手法を用いるのが一般的である。
【０００７】
しかしながら、ＰＩＰ表示やＰＯＰ表示などの手法では、コンテンツの表示の一部が通信画像の表示によって隠れてしまい、コンテンツが見難くなってしまうという問題があった。さらに、通常、表示画面における通信画像の表示領域は制限されているため、表示画面に表示される通信画像は画像サイズを縮小したものとなる。このため、例えば、通信画像に写っている他のユーザの画像サイズが小さくなって、当該他のユーザを判別し難くなったり、通信画像の画質が劣化したりするという問題があった。
【０００８】
そこで、本発明は、上記問題に鑑みてなされたものであり、本発明の目的とするところは、コンテンツの表示と通信画像の表示とを並行して行う際に、コンテンツの表示と通信画像の表示とを適切に行うことが可能な、新規かつ改良された情報処理装置および情報処理方法を提供することにある。
【課題を解決するための手段】
【０００９】
上記課題を解決するために、本発明のある観点によれば、通信対象装置からの撮像画像を受信する受信部と、前記受信部が受信した撮像画像から前記通信対象装置のユーザの顔を含む顔領域を検出する検出部と、前記検出部が検出した顔領域の情報に基づいて、前記通信対象装置のユーザの人数を把握する把握部と、情報処理装置のユーザが視る表示画面における第１の表示領域と第２の表示領域との表示比率の情報に基づいて、前記表示画面において前記第１の表示領域と前記第２の表示領域とを設定する設定部と、前記検出部が検出した顔領域の情報と、前記把握部による前記通信対象装置のユーザの人数の把握の結果と、前記設定部が設定した前記第２の表示領域の情報とに基づいて、前記撮像画像から前記第２の表示領域に表示する表示画像を生成する生成部と、前記表示画面における前記第２の表示領域に、前記生成部が生成した表示画像を表示させる制御部と、を備える、情報処理装置が提供される。
【００１０】
前記生成部は、前記検出部が検出した顔領域の情報に基づいて、少なくとも前記通信対象装置のユーザの顔の特徴的な部分が前記表示画像に含まれるように、前記撮像画像を切り出して、前記表示画像を生成してもよい。
【００１１】
前記生成部は、前記把握部による前記通信対象装置のユーザの人数の把握の結果、前記通信対象装置のユーザの人数が複数であるときは、前記表示画面における前記第２の表示領域において横方向に前記通信対象装置の複数のユーザの顔が並ぶように、前記撮像画像を切り出して、前記表示画像を生成してもよい。
【００１２】
前記生成部は、前記把握部による前記通信対象装置のユーザの人数の把握の結果、前記通信対象装置のユーザの人数が複数であるときは、前記表示画面における前記第２の表示領域において縦方向に前記通信対象装置の複数のユーザの顔が並ぶように、前記撮像画像を切り出して、前記表示画像を生成してもよい。
【００１３】
前記生成部は、前記把握部による前記通信対象装置のユーザの人数の把握の結果、前記通信対象装置のユーザの人数が複数であるときは、前記表示画面における前記第２の表示領域においてマトリックス状に前記通信対象装置の複数のユーザの顔が並ぶように、前記撮像画像を切り出して、前記表示画像を生成してもよい。
【００１４】
前記制御部は、前記表示画面における前記第１の表示領域に、画像サイズが縮小されたコンテンツを表示させてもよい。
【００１５】
前記検出部は、さらに、前記表示画面を有する表示部または表示装置の表示方向における被写体を撮像可能な撮像部または撮像装置により得られた他の撮像画像から前記情報処理装置のユーザの顔を含む顔領域を検出し、前記把握部は、さらに、前記検出部が検出した前記情報処理装置のユーザの顔を含む顔領域の情報に基づいて、前記情報処理装置のユーザの人数を把握し、前記生成部は、さらに、前記検出部が検出した前記情報処理装置のユーザの顔を含む顔領域の情報と、前記把握部による前記情報処理装置のユーザの人数の把握の結果とに基づいて、前記撮像画像および前記他の撮像画像から前記第２の表示領域に表示する表示画像を生成してもよい。
【００１６】
前記受信部が前記通信対象装置からの撮像画像、および当該撮像画像から検出された前記通信対象装置のユーザの顔を含む顔領域の情報を受信した場合には、前記検出部は、前記受信部が受信した撮像画像から前記通信対象装置のユーザの顔を含む顔領域の検出を行わず、前記把握部は、前記受信部が受信した顔領域の情報に基づいて、前記通信対象装置のユーザの人数を把握し、前記生成部は、前記検出部が検出した顔領域の情報に代えて前記受信部が受信した顔領域の情報に基づいて、前記表示画像を生成してもよい。
【００１７】
前記生成部は、前記検出部が検出した顔領域の情報に基づいて、無駄な領域としての無効領域が前記表示画像に含まれないように、前記撮像画像を切り出して、前記表示画像を生成してもよい。
【００１８】
前記生成部は、前記検出部が検出した顔領域の情報に基づいて、同一な画像が表示される同一領域が前記表示画像に含まれないように、前記撮像画像を切り出して、前記表示画像を生成してもよい。
【００１９】
前記生成部は、前記検出部が検出した顔領域の情報に基づいて、前記撮像画像において複数のユーザが近い位置に存在する場合には、前記複数のユーザを１人のユーザと見做して、前記表示画像を生成してもよい。
【００２０】
また、上記課題を解決するために、本発明の別の観点によれば、通信対象装置からの撮像画像を受信する受信ステップと、前記受信ステップで受信した撮像画像から前記通信対象装置のユーザの顔を含む顔領域を検出する検出ステップと、前記検出ステップで検出した顔領域の情報に基づいて、前記通信対象装置のユーザの人数を把握する把握ステップと、情報処理装置のユーザが視る表示画面における第１の表示領域と第２の表示領域との表示比率の情報に基づいて、前記表示画面において前記第１の表示領域と前記第２の表示領域とを設定する設定ステップと、前記検出ステップで検出した顔領域の情報と、前記把握ステップでの前記通信対象装置のユーザの人数の把握の結果と、前記設定ステップで設定した前記第２の表示領域の情報とに基づいて、前記撮像画像から前記第２の表示領域に表示する表示画像を生成する生成ステップと、前記表示画面における前記第２の表示領域に、前記生成ステップで生成した表示画像を表示させる制御ステップと、を有する、情報処理方法が提供される。
【発明の効果】
【００２１】
以上説明したように本発明によれば、コンテンツの表示と通信画像の表示とを並行して行う際に、コンテンツの表示と通信画像の表示とを適切に行うことができる。
【図面の簡単な説明】
【００２２】
【図１】本発明の実施の形態における表示システムの一例を説明するための説明図である。
【図２】本発明の第１の実施の形態に係る情報処理装置の機能構成の一例を説明するための説明図である。
【図３】図２における情報処理装置のハードウェア構成の一例を説明するための説明図である。
【図４】図２における情報処理装置が実行する表示処理のフローチャートである。
【図５】図４の表示処理におけるステップＳ１０８で実行される並列表示処理のフローチャートである。
【図６】他の表示システムにおいて撮像された撮像画像を説明するための説明図である。
【図７】（Ａ）〜（Ｄ）は、表示装置の表示画面に並列表示されたコンテンツと他の情報処理装置からの撮像画像とを説明するための説明図である。
【図８】（Ａ）は、他の表示システムのユーザが２人である場合に、他の表示システムにおいて撮像された撮像画像を説明するための説明図であり、（Ｂ）は、他の表示システムのユーザが１人であって、他の表示システムのユーザが１人である場合に、他の表示システムにおいて撮像された撮像画像を説明するための説明図である。
【図９】（Ａ）〜（Ｄ）は、表示装置の表示画面に並列表示されたコンテンツと他の情報処理装置からの撮像画像とを説明するための説明図である。
【図１０】（Ａ）は、他の表示システムのユーザが３人である場合に、他の表示システムにおいて撮像された撮像画像を説明するための説明図であり、（Ｂ）は、他の表示システムのユーザが２人であって、他の表示システムのユーザが１人である場合に、他の表示システムにおいて撮像された撮像画像を説明するための説明図であり、（Ｃ）は、他の表示システムのユーザが１人であって、他の表示システムのユーザが１人であり、他の表示システムのユーザが１人である場合に、他の表示システムにおいて撮像された撮像画像を説明するための説明図である。
【図１１】（Ａ）〜（Ｄ）は、表示装置の表示画面に並列表示されたコンテンツと他の情報処理装置からの撮像画像とを説明するための説明図である。
【図１２】（Ａ）〜（Ｄ）は、表示装置の表示画面に並列表示されたコンテンツと他の情報処理装置からの撮像画像とを説明するための説明図である。
【図１３】本発明の第２の実施の形態に係る情報処理装置の機能構成の一例を説明するための説明図である。
【図１４】（Ａ）〜（Ｃ）は、本発明の第４の実施例について説明するための説明図である。
【図１５】（Ａ）〜（Ｄ）は、本発明の第５の実施例について説明するための説明図である。
【図１６】（Ａ）〜（Ｆ）は、本発明の第６の実施例について説明するための説明図である。
【発明を実施するための形態】
【００２３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２４】
なお、説明は以下の順序で行うものとする。
１．表示システム
２．情報処理装置の機能構成（第１の実施の形態）
３．情報処理装置のハードウェア構成
４．表示処理
５．実施例
６．情報処理装置の機能構成（第２の実施の形態）
【００２５】
［１．表示システム］
まず、本発明の実施の形態における表示システムについて説明する。図１は、本実施の形態における表示システムの一例を説明するための説明図である。図１は、表示システムを正面から見た正面図である。
【００２６】
図１において、表示システム１００は、例えば、表示装置１０２と、撮像装置１０４とを備える。
【００２７】
表示装置１０２は、本発明の表示装置の一例であり、駆動信号に基づいて静止画像または動画像を表示することができる。例えば、表示装置１０２は、液晶によって静止画像または動画像を表示する。なお、表示装置１０２は、有機ＥＬ（エレクトロルミネセンス）のような自発光型の表示デバイスによって静止画像または動画像を表示してもよい。
【００２８】
撮像装置１０４は、本発明の撮像装置の一例であり、表示装置１０２の上方中央部に設けられていて、表示装置１０２の表示方向における被写体を撮像することができる。撮像装置１０４は、ＣＣＤ（Ｃｈａｒｇｅ  Ｃｏｕｐｌｅｄ  Ｄｅｖｉｃｅ）イメージセンサによって静止画像または動画像の撮像を行うものであってもよく、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサによって静止画像または動画像の撮像を行うものであってもよい。
【００２９】
なお、本実施の形態では、撮像装置１０４が表示装置１０２の上方中央部に設けられているが、撮像装置１０４が設けられる場所は表示装置１０２の上方中央部に限られない。例えば、撮像装置１０４は、表示装置１０２の下方中央部などに設けられてもよい。また、本実施の形態では、撮像装置１０４が１つだけ設けられているが、撮像装置１０４の数は１つに限られない。例えば、撮像装置１０４は、２つ以上設けられてもよい。また、本実施の形態では、表示装置１０２と撮像装置１０４とが一体となっているが、表示装置１０２と撮像装置１０４とは別体となってもよい。
【００３０】
なお、表示システム１００には、表示装置１０２の前方のユーザの有無を検知するセンサ（図示しない）や、リモートコントローラ（図示しない）からの赤外線や無線等による制御信号を受信可能な信号受信部（図示しない）が設けられていてもよい。また、上記センサは、表示装置１０２と表示装置１０２の前方のユーザとの間の距離を検出できるものであってもよい。
【００３１】
本実施の形態における表示装置１０２は、後述するように、静止画像または動画像のコンテンツと、図２における他の情報処理装置５００，７００からの撮像画像とを並列表示することができる。例えば、表示装置１０２は、表示画面におけるコンテンツの表示領域に静止画像または動画像のコンテンツを表示し、他の情報処理装置５００，７００からの撮像画像の表示領域に他の情報処理装置５００，７００からの撮像画像を表示することができる。コンテンツの表示領域は、本発明の第１の表示領域の一例である。他の情報処理装置５００，７００からの撮像画像の表示領域は、本発明の第２の表示領域の一例である。
【００３２】
また、本実施の形態における撮像装置１０４は、図２における表示装置１０２の表示画面を見ているユーザＡの静止画像または動画像を撮像することができる。
【００３３】
［２．情報処理装置の機能構成（第１の実施の形態）］
次に、本発明の第１の実施の形態に係る情報処理装置の機能構成について説明する。図２は、本実施の形態に係る情報処理装置の機能構成の一例を説明するための説明図である。なお、図２には、本実施の形態に係る情報処理装置としての情報処理装置２００へ撮像画像を伝達し、また情報処理装置２００から表示装置１０２を駆動するための信号を受信する表示システム１００と、表示システム１００および情報処理装置２００のユーザとしてのユーザＡとが示されている。さらに、図２には、情報処理装置２００が接続可能な通信ネットワーク８００と、通信ネットワーク８００に接続可能な通信サーバ３００や他の情報処理装置５００，７００と、他の情報処理装置５００へ撮像画像を伝達し、また他の情報処理装置５００から信号を受信する他の表示システム４００と、他の表示システム４００および他の情報処理装置５００のユーザとしてのユーザＢ，Ｃと、他の情報処理装置７００へ撮像画像を伝達し、また他の情報処理装置７００から信号を受信する他の表示システム６００と、他の表示システム６００および他の情報処理装置７００のユーザとしてのユーザＤとが示されている。他の表示システム４００，６００は、表示システム１００と同様の構成を有するため、詳細な説明は省略する。また、他の情報処理装置５００，７００は、情報処理装置２００と同様の構成を有するため、詳細な説明は省略する。他の情報処理装置５００，７００は、本発明の通信対象装置の一例である。
【００３４】
図２において、情報処理装置２００は、例えば、入力部２０２と、検出部２０４と、人数把握部２０６と、設定部２０８と、表示画像生成部２１０と、通信部２１２と、出力部２１４と、表示制御部２１６とを備える。
【００３５】
入力部２０２は、撮像装置１０４が撮像により生成した撮像画像を受信する。撮像装置１０４が撮像により生成した撮像画像は、本発明の他の撮像画像の一例である。そして、入力部２０２は、受信した（入力された）撮像画像を通信部２１２へ伝達する。なお、入力部２０２は、受信した撮像画像を検出部２０４や表示画像生成部２１０へ伝達してもよい。また、入力部２０２は、例えば、ユーザＡによる表示装置１０２の表示画面におけるコンテンツの表示領域と他の情報処理装置５００，７００からの撮像画像の表示領域との表示比率の設定入力を受け付ける。なお、入力部２０２は、例えば、ユーザＡによる表示装置１０２の表示画面におけるコンテンツの表示領域と情報処理装置２００および他の情報処理装置５００，７００からの撮像画像の表示領域との表示比率の設定入力を受け付けてもよい。そして、入力部２０２は、受け付けた表示比率の設定入力の情報を設定部２０８へ伝達する。情報処理装置２００および他の情報処理装置５００，７００からの撮像画像の表示領域は、本発明の第２の表示領域の一例である。
【００３６】
検出部２０４は、本発明の検出部の一例であり、通信部２１２が受信した他の情報処理装置５００，７００からの撮像画像を受信して、受信した撮像画像からユーザＢ，ＣおよびユーザＤの顔を含む顔領域を検出する。そして、検出部２０４は、検出結果としての顔領域の情報を人数把握部２０６、表示画像生成部２１０へ伝達する。なお、検出部２０４は、入力部２０２からの撮像画像を受信して、受信した撮像画像からユーザＡの顔を含む顔領域を検出してもよい。そして、検出部２０４は、検出結果としてのユーザＡの顔を含む顔領域の情報を人数把握部２０６や表示画像生成部２１０、通信部２１２へ伝達してもよい。検出部２０４が撮像画像に対して施す顔領域の検出については、例えば特開２００７−６５７６６号公報や、特開２００５−４４３３０号公報に掲載されている技術を用いることができる。以下、顔領域の検出について簡単に説明する。
【００３７】
撮像画像から例えばユーザＡの顔を検出するには、まず伝達された撮像画像における顔の位置、顔の大きさ、顔の方向を、それぞれ検出する。顔の位置と大きさが検出されることにより、顔画像の部分を画像から切り出すことができる。そして、切り出した顔画像と、顔の方向の情報とから、顔の特徴的な部分（顔特徴位置）、例えば、眉毛、目、鼻、口といった特徴的な部分を検出する。顔特徴位置の検出には、例えば、ＡＡＭ（Ａｃｔｉｖｅ  Ａｐｐｅａｒａｎｃｅ  Ｍｏｄｅｌｓ）と呼ばれる方法を適用して、顔特徴位置を検出するようにすることができる。
【００３８】
顔特徴位置を検出すると、検出した顔特徴位置のそれぞれに対して局所特徴量を算出する。局所特徴量を算出し、算出した局所特徴量を顔画像と併せて記憶しておくことで、撮像部１０４で撮像された撮像画像から顔の識別が可能となる。顔の識別方法については、例えば特開２００７−６５７６６号公報や、特開２００５−４４３３０号公報に掲載されている技術を用いることができるので、ここでは詳細な説明は省略する。また、顔画像や顔特徴位置によって、伝達された撮像画像に写っている顔が男性であるか女性であるか、またユーザが何歳くらいであるのかを判別することも可能である。また、予め顔の情報を記憶しておくことで、伝達された撮像画像に写っているユーザを記憶された顔の中から探し出して、個人を特定することが可能である。
【００３９】
人数把握部２０６は、本発明の把握部の一例であり、検出部２０４が検出したユーザＢ，ＣおよびユーザＤの顔を含む顔領域の情報を受信する。そして、人数把握部２０６は、受信した顔領域の情報に基づいて、他の情報処理装置５００，７００のユーザの人数を把握する。そして、人数把握部２０６は、他の情報処理装置５００，７００のユーザの人数の把握の結果を表示画像生成部２１０に伝達する。なお、人数把握部２０６は、検出部２０４が検出したユーザＡの顔を含む顔領域の情報を受信して、受信したユーザＡの顔を含む顔領域の情報に基づいて、情報処理装置２００のユーザの人数を把握してもよい。そして、人数把握部２０６は、情報処理装置２００のユーザの人数の把握の結果を表示画像生成部２１０や表示制御部２１６に伝達してもよい。さらに、人数把握部２０６は、通信部２１２が他の表示システム４００において撮像された撮像画像から検出されたユーザＢ，Ｃの顔を含む顔領域の情報や、他の表示システム６００において撮像された撮像画像から検出されたユーザＤの顔を含む顔領域の情報を受信した場合には、それらの顔領域の情報を受信して、受信した顔領域の情報に基づいて、他の情報処理装置５００，７００のユーザの人数を把握してもよい。この場合、上述した検出部２０４は、他の情報処理装置５００，７００からの撮像画像からユーザＢ，ＣおよびユーザＤの顔を含む顔領域の検出を行わなくてもよい。
【００４０】
設定部２０８は、本発明の設定部の一例であり、入力部２０２から表示比率の設定入力の情報を受信して、受信した表示比率の設定入力の情報に基づいて、表示装置１０２の表示画面においてコンテンツの表示領域と他の情報処理装置５００，７００からの撮像画像の表示領域とを設定する。また、設定部２０８は、受信した表示比率の設定入力の情報に基づいて、表示装置１０２の表示画面においてコンテンツの表示領域と情報処理装置２００および他の情報処理装置５００，７００からの撮像画像の表示領域とを設定してもよい。そして、設定部２０８は、設定した撮像画像の表示領域の情報を表示画像生成部２１０および表示制御部２１６へ伝達し、設定したコンテンツの表示領域の情報を表示制御部２１６へ伝達する。例えば、設定部２０８は、表示装置１０２の表示画面においてコンテンツの表示領域のサイズと他の情報処理装置５００，７００からの撮像画像の表示領域のサイズとを設定して、設定したコンテンツの表示領域のサイズの情報や撮像画像の表示領域のサイズの情報を伝達するようにする。
【００４１】
表示画像生成部２１０は、本発明の生成部の一例であり、検出部２０４からユーザＢ，ＣおよびユーザＤの顔を含む顔領域の情報を受信し、人数把握部２０６から他の情報処理装置５００，７００のユーザの人数の把握の結果を受信し、設定部２０８から他の情報処理装置５００，７００からの撮像画像の表示領域の情報を受信し、通信部２１２が受信した他の表示システム４００において撮像された撮像画像や他の表示システム６００において撮像された撮像画像を受信する。そして、表示画像生成部２１０は、受信したユーザＢ，ＣおよびユーザＤの顔を含む顔領域の情報と、受信した他の情報処理装置５００，７００のユーザの人数の把握の結果と、他の情報処理装置５００，７００からの撮像画像の表示領域の情報とに基づいて、他の表示システム４００において撮像された撮像画像や他の表示システム６００において撮像された撮像画像から表示装置１０２の表示画面における他の情報処理装置５００，７００からの撮像画像の表示領域に表示する表示画像を生成する。そして、表示画像生成部２１０は、生成した表示画像を表示制御部２１６へ伝達する。
【００４２】
例えば、表示画像生成部２１０は、ユーザＢの顔を含む顔領域の情報と、他の情報処理装置５００，７００のユーザの人数の把握の結果、すなわちユーザの人数が３人との情報と、他の情報処理装置５００，７００からの撮像画像の表示領域の情報、例えば表示領域のサイズの情報とに基づいて、少なくともユーザＢの顔の特徴的な部分が含まれるように、撮像画像の表示領域の３等分のサイズだけ他の表示システム４００において撮像された撮像画像を切り出す。また、表示画像生成部２１０は、ユーザＣの顔を含む顔領域の情報と、他の情報処理装置５００，７００のユーザの人数が３人との情報と、他の情報処理装置５００，７００からの撮像画像の表示領域のサイズの情報とに基づいて、少なくともユーザＣの顔の特徴的な部分が含まれるように、撮像画像の表示領域の３等分のサイズだけ他の表示システム４００において撮像された撮像画像を切り出す。また、表示画像生成部２１０は、ユーザＤの顔を含む顔領域の情報と、他の情報処理装置５００，７００のユーザの人数が３人との情報と、他の情報処理装置５００，７００からの撮像画像の表示領域のサイズの情報とに基づいて、少なくともユーザＤの顔の特徴的な部分が含まれるように、撮像画像の表示領域の３等分のサイズだけ他の表示システム６００において撮像された撮像画像を切り出す。そして、表示画像生成部２１０は、それぞれ切り出した撮像画像を、表示装置１０２の表示画面における他の情報処理装置５００，７００からの撮像画像の表示領域において他の情報処理装置５００，７００のユーザの顔が横方向、縦方向またはマトリックス状に並ぶように並べて、上述した表示画像を生成する。
【００４３】
なお、表示画像生成部２１０は、入力部２０２から表示システム１００において撮像された撮像画像を受信し、検出部２０４からユーザＡの顔を含む顔領域の情報やユーザＢ，ＣおよびユーザＤの顔を含む顔領域の情報を受信し、人数把握部２０６から情報処理装置２００のユーザの人数の把握の結果や他の情報処理装置５００，７００のユーザの人数の把握の結果を受信し、設定部２０８から情報処理装置２００および他の情報処理装置５００，７００からの撮像画像の表示領域の情報を受信し、通信部２１２が受信した他の表示システム４００において撮像された撮像画像や他の表示システム６００において撮像された撮像画像を受信した場合には、受信したユーザＡ、ユーザＢ，ＣおよびユーザＤの顔を含む顔領域の情報と、受信した情報処理装置２００および他の情報処理装置５００，７００のユーザの人数の把握の結果と、情報処理装置２００および他の情報処理装置５００，７００からの撮像画像の表示領域の情報とに基づいて、表示システム１００において撮像された撮像画像、他の表示システム４００において撮像された撮像画像や他の表示システム６００において撮像された撮像画像から表示装置１０２の表示画面における情報処理装置２００および他の情報処理装置５００，７００からの撮像画像の表示領域に表示する表示画像を生成してもよい。
【００４４】
この場合、例えば、表示画像生成部２１０は、ユーザＡの顔を含む顔領域の情報と、情報処理装置２００および他の情報処理装置５００，７００のユーザの人数の把握の結果、すなわちユーザの人数が４人との情報と、情報処理装置２００および他の情報処理装置５００，７００からの撮像画像の表示領域の情報、例えば表示領域のサイズの情報とに基づいて、少なくともユーザＡの顔の特徴的な部分が含まれるように、撮像画像の表示領域の４等分のサイズだけ表示システム１００において撮像された撮像画像を切り出す。また、ユーザＢの顔を含む顔領域の情報と、情報処理装置２００および他の情報処理装置５００，７００のユーザの人数が４人との情報と、情報処理装置２００および他の情報処理装置５００，７００からの撮像画像の表示領域のサイズの情報とに基づいて、少なくともユーザＢの顔の特徴的な部分が含まれるように、撮像画像の表示領域の４等分のサイズだけ他の表示システム４００において撮像された撮像画像を切り出す。また、表示画像生成部２１０は、ユーザＣの顔を含む顔領域の情報と、情報処理装置２００および他の情報処理装置５００，７００のユーザの人数が４人との情報と、情報処理装置２００および他の情報処理装置５００，７００からの撮像画像の表示領域のサイズの情報とに基づいて、少なくともユーザＣの顔の特徴的な部分が含まれるように、撮像画像の表示領域の４等分のサイズだけ他の表示システム４００において撮像された撮像画像を切り出す。また、表示画像生成部２１０は、ユーザＤの顔を含む顔領域の情報と、情報処理装置２００および他の情報処理装置５００，７００のユーザの人数が４人との情報と、情報処理装置２００および他の情報処理装置５００，７００からの撮像画像の表示領域のサイズの情報とに基づいて、少なくともユーザＤの顔の特徴的な部分が含まれるように、撮像画像の表示領域の４等分のサイズだけ他の表示システム６００において撮像された撮像画像を切り出す。そして、表示画像生成部２１０は、それぞれ切り出した撮像画像を、表示装置１０２の表示画面における情報処理装置２００および他の情報処理装置５００，７００からの撮像画像の表示領域において情報処理装置２００および他の情報処理装置５００，７００のユーザの顔が横方向、縦方向またはマトリックス状に並ぶように並べて、上述した表示画像を生成する。
【００４５】
なお、表示画像生成部２１０は、通信部２１２が他の表示システム４００において撮像された撮像画像から検出されたユーザＢ，Ｃの顔を含む顔領域の情報や、他の表示システム６００において撮像された撮像画像から検出されたユーザＤの顔を含む顔領域の情報を受信した場合には、それらの顔領域の情報を受信して、検出部２０４が検出した顔領域の情報に代えて通信部２１２から受信したそれらの顔領域の情報に基づいて、表示画像を生成するようにしてもよい。
【００４６】
また、表示画像生成部２１０は、受信した顔領域の情報に基づいて、無駄な領域としての無効領域が表示画像に含まれないように、撮像画像を切り出して、表示画像を生成するようにしてもよい。また、表示画像生成部２１０は、受信した顔領域の情報に基づいて、同一な画像が表示される同一領域が表示画像に含まれないように、撮像画像を切り出して、表示画像を生成するようにしてもよい。また、表示画像生成部２１０は、受信した顔領域の情報に基づいて、撮像画像において複数のユーザが近い位置に存在する場合には、当該複数のユーザを１人のユーザと見做して、表示画像を生成するようにしてもよい。
【００４７】
通信部２１２は、本発明の受信部の一例であり、通信サーバ３００から通信ネットワーク８００を経由して他の表示システム４００において撮像された撮像画像を受信する。また、通信部２１２は、通信サーバ３００から通信ネットワーク８００を経由して他の表示システム６００において撮像された撮像画像を受信する。なお、通信部２１２は、他の表示システム４００において撮像された撮像画像を他の情報処理装置５００から通信ネットワーク８００を経由して直接的に受信することもできる。同様に、通信部２１２は、他の表示システム６００において撮像された撮像画像を他の情報処理装置７００から通信ネットワーク８００を経由して直接的に受信することもできる。
【００４８】
また、通信部２１２は、入力部２０２からの撮像画像を受信し、受信した撮像画像を通信ネットワーク８００を経由して通信サーバ３００に送信してもよい。さらに、通信部２１２は、検出部２０４から表示システム１００において撮像された撮像画像から検出されたユーザＡの顔を含む顔領域の情報を受信し、受信した顔領域の情報を通信ネットワーク８００を経由して通信サーバ３００に送信してもよい。なお、通信部２１２は、受信した撮像画像や顔領域の情報を通信ネットワーク８００を経由して他の情報処理装置５００，７００に直接的に送信することもできる。
【００４９】
また、通信部２１２は、通信サーバ３００から通信ネットワーク８００を経由して他の表示システム４００において撮像された撮像画像から検出されたユーザＢ，Ｃの顔を含む顔領域の情報や、他の表示システム６００において撮像された撮像画像から検出されたユーザＤの顔を含む顔領域の情報を受信してもよい。なお、通信部２１２は、他の表示システム４００において撮像された撮像画像から検出されたユーザＢ，Ｃの顔を含む顔領域の情報を他の情報処理装置５００から通信ネットワーク８００を経由して直接的に受信することもできる。同様に、通信部２１２は、他の表示システム６００において撮像された撮像画像から検出されたユーザＤの顔を含む顔領域の情報を他の情報処理装置７００から通信ネットワーク８００を経由して直接的に受信することもできる。
【００５０】
出力部２１４は、表示制御部２１６から表示装置１０２を駆動するための信号を受信し、受信した信号を表示装置１０２に伝達する。
【００５１】
表示制御部２１６は、本発明の制御部の一例であり、設定部２０８からコンテンツの表示領域の情報や他の情報処理装置５００，７００からの撮像画像の表示領域の情報を受信し、表示画像生成部２１０から表示画像を受信する。また、表示制御部２１６には静止画像または動画像のコンテンツが供給される。そして、表示制御部２１６は、表示装置１０２の表示画面における他の情報処理装置５００，７００からの撮像画像の表示領域に、表示画像生成部２１０が生成した表示画像を表示させる信号を出力部２１４に伝達する。また、表示制御部２１６は、表示装置１０２の表示画面におけるコンテンツの表示領域に、画像サイズが縮小されたコンテンツを表示させる信号を出力部２１４に伝達する。
【００５２】
なお、表示制御部２１６は、設定部２０８からコンテンツの表示領域の情報や情報処理装置２００および他の情報処理装置５００，７００からの撮像画像の表示領域の情報を受信し、表示画像生成部２１０から表示画像を受信した場合には、表示装置１０２の表示画面における情報処理装置２００および他の情報処理装置５００，７００からの撮像画像の表示領域に、表示画像生成部２１０が生成した表示画像を表示させる信号を出力部２１４に伝達してもよい。
【００５３】
［３．情報処理装置のハードウェア構成］
次に、図２における情報処理装置２００のハードウェア構成について説明する。図３は、図２における情報処理装置２００のハードウェア構成の一例を説明するための説明図である。
【００５４】
図３において、情報処理装置２００は、例えば、ＭＰＵ２３０と、ＲＯＭ２３２と、ＲＡＭ２３４と、記録媒体２３６と、入出力インタフェース２３８と、操作入力デバイス２４０と、表示デバイス２４２と、通信インタフェース２４４とを備える。また、情報処理装置２００は、例えば、データの伝送路としてのバス２４６で各構成要素間を接続する。
【００５５】
ＭＰＵ２３０は、ＭＰＵ（Micro  Processing  Unit）や、画像処理などの各種機能を実現するための複数の回路が集積された集積回路などで構成され、情報処理装置２００全体を制御する制御部（図示しない）として機能する。また、ＭＰＵ２３０は、情報処理装置２００において、検出部２０４、人数把握部２０６、設定部２０８、表示画像生成部２１０および表示制御部２１６としての役目を果たす。
【００５６】
ＲＯＭ２３２は、ＭＰＵ２３０が使用するプログラムや演算パラメータなどの制御用データなどを記憶する。ＲＡＭ２３４は、例えば、ＭＰＵ２３０により実行されるプログラムなどを一時的に記憶する。
【００５７】
記録媒体２３６は、例えば、アプリケーションなどを記憶する。ここで、記録媒体２３６としては、例えば、ハードディスクなどの磁気記録媒体や、ＥＥＰＲＯＭ（Electrically  Erasable  and  Programmable  Read  Only  Memory）、フラッシュメモリ（flash  memory）、ＭＲＡＭ（Magnetoresistive  Random  Access  Memory）、ＦｅＲＡＭ（Ferroelectric  Random  Access  Memory）、ＰＲＡＭ（Phase  change  Random  Access  Memory）などの不揮発性メモリ（nonvolatile  memory）が挙げられる。また、情報処理装置２００は、情報処理装置２００から着脱可能な記録媒体２３６を備えることもできる。
【００５８】
入出力インタフェース２３８は、例えば、操作入力デバイス２４０や、表示デバイス２４２を接続する。また、入出力インタフェース２３８は、入力部２０２および出力部２１４としての役目を果たすこともできる。操作入力デバイス２４０は、操作部（図示しない）として機能し、また、表示デバイス２４２は、後述する図１３における表示部２５４として機能する。ここで、入出力インタフェース２３８としては、例えば、ＵＳＢ（Universal  Serial  Bus）端子や、ＤＶＩ（Digital  Visual  Interface）端子、ＨＤＭＩ（High-Definition  Multimedia  Interface）端子、各種処理回路などが挙げられる。また、操作入力デバイス２４０は、例えば、情報処理装置２００上に備えられ、情報処理装置２００の内部で入出力インタフェース２３８と接続される。操作入力デバイス２４０としては、例えば、ボタン、方向キー、ジョグダイヤルなどの回転型セレクタ、あるいは、これらの組み合わせなどが挙げられる。また、表示デバイス２４２は、例えば、情報処理装置２００上に備えられ、情報処理装置２００の内部で入出力インタフェース２３８と接続される。表示デバイス２４２としては、例えば、液晶ディスプレイ（Liquid  Crystal  Display；ＬＣＤ）や有機ＥＬディスプレイ（organic  ElectroLuminescence  display。または、ＯＬＥＤディスプレイ（Organic  Light  Emitting  Diode  display）ともよばれる。）などが挙げられる。なお、入出力インタフェース２３８が、情報処理装置２００の外部装置としての操作入力デバイス（例えば、キーボードやマウスなど）や、表示デバイス（例えば、表示装置１０２などの外部表示デバイス）、撮像デバイス（例えば、撮像装置１０４など）などの外部デバイスと接続することもできることは、言うまでもない。また、表示デバイス２４２は、例えばタッチスクリーンなど、表示とユーザ操作とが可能なデバイスであってもよい。
【００５９】
通信インタフェース２４４は、情報処理装置２００が備える通信手段であり、ネットワーク８００を経由して（あるいは、直接的に）、例えば通信サーバ３００や、他の情報処理装置５００，７００などの外部装置と無線／有線で通信を行うための通信部２１２として機能する。ここで、通信インタフェース２４４としては、例えば、通信アンテナおよびＲＦ回路（無線通信）や、ＩＥＥＥ８０２．１５．１ポートおよび送受信回路（無線通信）、ＩＥＥＥ８０２．１１ｂポートおよび送受信回路（無線通信）、あるいはＬＡＮ端子および送受信回路（有線通信）などが挙げられる。
【００６０】
なお、本実施の形態に係る情報処理装置２００のハードウェア構成は、図３に示す構成に限られない。例えば、情報処理装置２００は、音声出力部（図示しない）の役目を果たす、ＤＳＰ（Digital  Signal  Processor）と、増幅器（アンプ）やスピーカなどから構成される音声出力デバイスとを備えてもよい。
【００６１】
また、情報処理装置２００は、例えば、図１３における撮像部２５２の役目を果たす、レンズ／撮像素子と信号処理回路とから構成される撮像デバイスを備えていてもよい。上記の場合には、情報処理装置２００は、自装置が生成した撮像画像を処理することができる。ここで、レンズ／撮像素子は、例えば、光学系のレンズと、ＣＣＤ（Charge  Coupled  Device）やＣＭＯＳ（Complementary  Metal  Oxide  Semiconductor）などの撮像素子を複数用いたイメージセンサとで構成される。信号処理回路は、例えば、ＡＧＣ（Automatic  Gain  Control）回路やＡＤＣ（Analog  to  Digital  Converter）を備え、撮像素子により生成されたアナログ信号をデジタル信号（画像データ）に変換し、各種信号処理を行う。信号処理回路が行う信号処理としては、例えば、Ｗｈｉｔｅ  Ｂａｌａｎｃｅ補正処理、補間処理、色調補正処理、ガンマ補正処理、ＹＣｂＣｒ変換処理、エッジ強調処理、およびコーディング処理などが挙げられる。
【００６２】
また、情報処理装置２００は、例えば、図３に示す操作入力デバイス２４０や表示デバイス２４２を備えない構成であってもよい。
【００６３】
［４．表示処理］
次に、図２における情報処理装置２００が実行する表示処理について説明する。図４は、図２における情報処理装置２００が実行する表示処理のフローチャートである。
【００６４】
図４において、まず、情報処理装置２００において、例えば、ユーザＡによりユーザＡが所望するコンテンツの表示装置１０２への表示が指示されると、表示制御部２１６は、表示装置１０２の表示画面にユーザＡが所望するコンテンツを表示させる信号を出力部２１４に伝達して、出力部２１４は、受信した信号を表示装置１０２に伝達する。これにより、表示装置１０２の表示画面には、ユーザＡが所望するコンテンツが表示される（ステップＳ１００）。
【００６５】
次いで、情報処理装置２００において、例えば、ユーザＡによりユーザＢ，ＣやユーザＤとのネットワーク接続が指示されると、通信部２１２は、通信ネットワーク８００を経由して通信サーバ３００と通信可能な状態となる（ステップＳ１０２）。なお、ステップＳ１０２では、通信部２１２は、通信ネットワーク８００を経由して直接的に他の情報処理装置５００，７００と通信可能な状態となってもよい。
【００６６】
次いで、通信部２１２は、入力部２０２を経由して受信した表示システム１００における撮像装置１０４が撮像により生成した撮像画像を通信ネットワーク８００を経由して通信サーバ３００に送信する（ステップＳ１０４）。なお、ステップＳ１０４では、通信部２１２は、検出部２０４から受信したユーザＡの顔を含む顔領域の情報を通信ネットワーク８００を経由して通信サーバ３００に送信してもよい。また、ステップＳ１０４では、通信部２１２は、撮像画像や顔領域の情報を通信ネットワーク８００を経由して直接的に他の情報処理装置５００，７００に送信してもよい。
【００６７】
次いで、通信部２１２は、他の情報処理装置５００から送信された、表示システム４００において撮像された撮像画像を通信サーバ３００から受信する。さらに、通信部２１２は、他の情報処理装置７００から送信された、表示システム６００において撮像された撮像画像を通信サーバ３００から受信する（ステップＳ１０６）。なお、ステップＳ１０６では、他の情報処理装置５００から送信された、表示システム４００において撮像された撮像画像から検出されたユーザＢ，Ｃの顔を含む顔領域の情報や、他の情報処理装置７００から送信された、表示システム６００において撮像された撮像画像から検出されたユーザＤの顔を含む顔領域の情報を通信サーバ３００から受信してもよい。また、ステップＳ１０６では、通信部２１２は、撮像画像や顔領域の情報を通信ネットワーク８００を経由して直接的に他の情報処理装置５００，７００から受信してもよい。
【００６８】
次いで、情報処理装置２００は、後述する図５の並列表示処理を実行して（ステップＳ１０８）、表示装置１０２の表示画面に、ユーザＡが所望するコンテンツと他の情報処理装置５００，７００からの撮像画像とが並列表示されるようにして、本処理を終了する。
【００６９】
図５は、図４の表示処理におけるステップＳ１０８で実行される並列表示処理のフローチャートである。
【００７０】
図５において、まず、人数把握部２０６は、検出部２０４が検出したユーザＢ，ＣおよびユーザＤの顔を含む顔領域の情報に基づいて、他の情報処理装置５００，７００のユーザの人数を把握する（ステップＳ２００）。なお、ステップＳ２００では、人数把握部２０６は、検出部２０４が検出したユーザＡの顔を含む顔領域の情報に基づいて、情報処理装置２００のユーザの人数を把握してもよい。また、ステップＳ２００では、通信部２１２が他の表示システム４００において撮像された撮像画像から検出されたユーザＢ，Ｃの顔を含む顔領域の情報や、他の表示システム６００において撮像された撮像画像から検出されたユーザＤの顔を含む顔領域の情報を受信した場合には、それらの顔領域の情報に基づいて、他の情報処理装置５００，７００のユーザの人数を把握してもよい。
【００７１】
次いで、設定部２０８は、ユーザＡによる表示装置１０２の表示画面におけるコンテンツの表示領域と他の情報処理装置５００，７００からの撮像画像の表示領域との表示比率の設定入力の情報に基づいて、表示装置１０２の表示画面においてコンテンツの表示領域と他の情報処理装置５００，７００からの撮像画像の表示領域とを設定する（ステップＳ２０２）。なお、ステップＳ２０２では、設定部２０８は、ユーザＡによる表示装置１０２の表示画面におけるコンテンツの表示領域と情報処理装置２００および他の情報処理装置５００，７００からの撮像画像の表示領域との表示比率の設定入力の情報に基づいて、表示装置１０２の表示画面においてコンテンツの表示領域と情報処理装置２００および他の情報処理装置５００，７００からの撮像画像の表示領域とを設定してもよい。
【００７２】
次いで、表示画像生成部２１０は、検出部２０４から受信したユーザＢ，ＣおよびユーザＤの顔を含む顔領域の情報と、人数把握部２０６から受信した他の情報処理装置５００，７００のユーザの人数の把握の結果と、設定部２０８から受信した他の情報処理装置５００，７００からの撮像画像の表示領域の情報とに基づいて、通信部２１２が受信した他の表示システム４００において撮像された撮像画像や他の表示システム６００において撮像された撮像画像を切り出して（ステップＳ２０４）、表示装置１０２の表示画面における他の情報処理装置５００，７００からの撮像画像の表示領域に表示する表示画像を生成する（ステップＳ２０６）。
【００７３】
なお、ステップＳ２０４およびステップＳ２０６では、表示画像生成部２１０は、検出部２０４から受信したユーザＡの顔を含む顔領域の情報やユーザＢ，ＣおよびユーザＤの顔を含む顔領域の情報と、人数把握部２０６から受信した情報処理装置２００のユーザの人数の把握の結果や他の情報処理装置５００，７００のユーザの人数の把握の結果と、設定部２０８から受信した情報処理装置２００および他の情報処理装置５００，７００からの撮像画像の表示領域の情報とに基づいて、表示システム１００において撮像された撮像画像、他の表示システム４００において撮像された撮像画像や他の表示システム６００において撮像された撮像画像を切り出して、表示装置１０２の表示画面における情報処理装置２００および他の情報処理装置５００，７００からの撮像画像の表示領域に表示する表示画像を生成してもよい。
【００７４】
また、ステップＳ２０４およびステップＳ２０６では、表示画像生成部２１０は、通信部２１２が他の表示システム４００において撮像された撮像画像から検出されたユーザＢ，Ｃの顔を含む顔領域の情報や、他の表示システム６００において撮像された撮像画像から検出されたユーザＤの顔を含む顔領域の情報を受信した場合には、検出部２０４が検出した顔領域の情報に代えて通信部２１２から受信したそれらの顔領域の情報に基づいて、表示画像を生成するようにしてもよい。
【００７５】
次いで、表示制御部２１６は、設定部２０８から受信したコンテンツの表示領域の情報に基づいて、表示装置１０２の表示画面におけるコンテンツの表示領域に、画像サイズが縮小されたユーザＡが所望するコンテンツを表示させる信号を出力部２１４に伝達する。これにより、表示装置１０２の表示画面には、コンテンツの表示領域に画像サイズが縮小されたユーザＡが所望するコンテンツが表示される（ステップＳ２０８）。
【００７６】
次いで、表示制御部２１６は、設定部２０８から受信した他の情報処理装置５００，７００からの撮像画像の表示領域の情報に基づいて、表示装置１０２の表示画面における他の情報処理装置５００，７００からの撮像画像の表示領域に、表示画像生成部２１０が生成した表示画像を表示させる信号を出力部２１４に伝達する。これにより、表示装置１０２の表示画面には、撮像画像の表示領域に表示画像生成部２１０が生成した表示画像が表示されて、ユーザＡが所望するコンテンツと他の情報処理装置５００，７００からの撮像画像とが並列表示される（ステップＳ２１０）。そして、本処理を終了する。
【００７７】
なお、ステップＳ２１０では、表示制御部２１６は、設定部２０８から受信した情報処理装置２００および他の情報処理装置５００，７００からの撮像画像の表示領域の情報に基づいて、表示装置１０２の表示画面における情報処理装置２００および他の情報処理装置５００，７００からの撮像画像の表示領域に、表示画像生成部２１０が生成した表示画像を表示させる信号を出力部２１４に伝達してもよい。この場合、表示装置１０２の表示画面には、撮像画像の表示領域に表示画像生成部２１０が生成した表示画像が表示されて、ユーザＡが所望するコンテンツと情報処理装置２００および他の情報処理装置５００，７００からの撮像画像とが並列表示される。
【００７８】
図４の表示処理によれば、表示装置１０２の表示画面には、撮像画像の表示領域に表示画像生成部２１０が生成した表示画像が表示されて、コンテンツの表示領域に画像サイズが縮小されたユーザＡが所望するコンテンツが表示される。撮像画像の表示領域に表示される表示画像は、顔領域の情報と、ユーザの人数の把握の結果と、撮像画像の表示領域の情報、例えば表示領域のサイズの情報とに基づいて、撮像画像を切り出して生成されたものである。このため、撮像画像の表示領域のサイズが小さい場合においては、撮像画像の表示領域に表示される表示画像は、撮像画像において、ユーザの判別において不要な部分、例えば背景の大部分が切り抜かれたものとなる。このため、撮像画像の表示領域のサイズが小さい場合においても、撮像画像の表示領域には、ユーザの判別において必要な部分、例えばユーザの顔の特徴的な部分が写った撮像画像が表示されるため、ユーザを判別し難くなることはない。また、表示画像は画質が劣化したものとはならない。さらに、コンテンツ表示領域に表示されるコンテンツは、画像サイズが縮小されるため、一部が表示画像の表示によって隠れてしまうことはない。したがって、コンテンツの表示と撮像画像の表示とを並行して行う際に、コンテンツの表示と撮像画像の表示とを適切に行うことができる。
【００７９】
［５．実施例］
次に、本発明の実施例について説明する。図６および図７（Ａ）〜図７（Ｄ）は、本発明の第１の実施例について説明するための説明図である。本第１の実施例では、図２における表示装置１０２の表示画面に、表示システム１００のユーザが所望するコンテンツと、他の表示システム４００において撮像された撮像画像とが並列表示される場合について説明する。なお、本第１の実施例では、他の表示システム４００のユーザが１人である場合について説明する。
【００８０】
図６は、他の表示システム４００において撮像された撮像画像を説明するための説明図である。図６において、他の表示システム４００において撮像された撮像画像ＩＭ１は、上述したように情報処理装置２００における検出部２０４に送信されて、検出部２０４において他の表示システム４００のユーザの顔を含む顔領域ＦＡ１が検出される。
【００８１】
図７（Ａ）〜図７（Ｄ）は、表示装置１０２の表示画面に並列表示されたコンテンツと他の情報処理装置５００からの撮像画像とを説明するための説明図である。
【００８２】
図７（Ａ）は、表示システム１００のユーザによる表示装置１０２の表示画面におけるコンテンツの表示領域と他の情報処理装置５００からの撮像画像の表示領域との表示比率の設定入力において、コンテンツの表示領域の比率がＡ１と、撮像画像の表示領域の表示比率がＢ１（Ｂ１＝０）と入力された場合であり、図７（Ｂ）は、コンテンツの表示領域の比率がＡ２と、撮像画像の表示領域の表示比率がＢ２（Ｂ２＜Ａ２）と入力された場合であり、図７（Ｃ）は、コンテンツの表示領域の比率がＡ３と、撮像画像の表示領域の表示比率がＢ３（Ｂ３＝Ａ３）と入力された場合であり、図７（Ｄ）は、コンテンツの表示領域の比率がＡ４（Ａ４＝０）と、撮像画像の表示領域の表示比率がＢ４と入力された場合である。
【００８３】
図７（Ｂ）および図７（Ｃ）に示すように、表示装置１０２の表示画面には、撮像画像の表示領域に撮像画像ＩＭ１を切り出して生成された表示画像ＩＭ２，ＩＭ４が表示されて、コンテンツの表示領域に画像サイズが縮小された表示システム１００のユーザが所望するコンテンツＩＭ３，ＩＭ５が表示される。これにより、表示システム１００のユーザは、所望するコンテンツＩＭ３，ＩＭ５をその一部が隠されることなく視ることができ、また、撮像画像に写っている他の表示システム４００のユーザを容易に判別することができるようになる。
【００８４】
図８（Ａ）および図９（Ａ）〜図９（Ｄ）は、本発明の第２の実施例について説明するための説明図である。本第２の実施例では、図２における表示装置１０２の表示画面に、表示システム１００のユーザが所望するコンテンツと、他の表示システム４００において撮像された撮像画像とが並列表示される場合について説明する。なお、本第２の実施例では、他の表示システム４００のユーザが２人である場合について説明する。
【００８５】
図８（Ａ）は、他の表示システム４００のユーザが２人である場合に、他の表示システム４００において撮像された撮像画像を説明するための説明図である。図８（Ａ）において、他の表示システム４００において撮像された撮像画像ＩＭ６は、上述したように情報処理装置２００における検出部２０４に送信されて、検出部２０４において他の表示システム４００の２人のユーザの顔をそれぞれ含む顔領域ＦＡ２，ＦＡ３が検出される。
【００８６】
図９（Ａ）〜図９（Ｄ）は、表示装置１０２の表示画面に並列表示されたコンテンツと他の情報処理装置５００からの撮像画像とを説明するための説明図である。
【００８７】
図９（Ａ）は、表示システム１００のユーザによる表示装置１０２の表示画面におけるコンテンツの表示領域と他の情報処理装置５００からの撮像画像の表示領域との表示比率の設定入力において、コンテンツの表示領域の比率がＡ５と、撮像画像の表示領域の表示比率がＢ５（Ｂ５＝０）と入力された場合であり、図９（Ｂ）は、コンテンツの表示領域の比率がＡ６と、撮像画像の表示領域の表示比率がＢ６（Ｂ６＜Ａ６）と入力された場合であり、図９（Ｃ）は、コンテンツの表示領域の比率がＡ７と、撮像画像の表示領域の表示比率がＢ７（Ｂ７＝Ａ７）と入力された場合であり、図９（Ｄ）は、コンテンツの表示領域の比率がＡ８（Ａ８＝０）と、撮像画像の表示領域の表示比率がＢ８と入力された場合である。
【００８８】
図９（Ｂ）および図９（Ｃ）に示すように、表示装置１０２の表示画面には、撮像画像の表示領域に撮像画像ＩＭ６を切り出して生成された表示画像ＩＭ９，ＩＭ１１が表示されて、コンテンツの表示領域に画像サイズが縮小された表示システム１００のユーザが所望するコンテンツＩＭ１０，ＩＭ１２が表示される。これにより、表示システム１００のユーザは、所望するコンテンツＩＭ１０，ＩＭ１２をその一部が隠されることなく視ることができ、また、撮像画像に写っている他の表示システム４００の２人のユーザを容易に判別することができるようになる。
【００８９】
なお、図８（Ｂ）に示すように、他の表示システム４００のユーザが１人であって、他の表示システム６００のユーザが１人である場合に、表示装置１０２の表示画面に、表示システム１００のユーザが所望するコンテンツと、他の表示システム４００，６００において撮像された撮像画像ＩＭ７，ＩＭ８とが並列表示される場合についても、図９（Ａ）〜図９（Ｄ）（正確には図９（Ｂ）および図９（Ｃ））に示すように、表示装置１０２の表示画面に、ユーザが所望するコンテンツと、他の表示システム４００，６００において撮像された撮像画像とを並列表示させることができる。
【００９０】
図１０（Ａ）および図１１（Ａ）〜図１１（Ｄ）は、本発明の第３の実施例について説明するための説明図である。なお、図１０（Ａ）以降の図面においては、顔領域を示す枠については図示を省略する。本第３の実施例では、図２における表示装置１０２の表示画面に、表示システム１００のユーザが所望するコンテンツと、他の表示システム４００において撮像された撮像画像とが並列表示される場合について説明する。なお、本第３の実施例では、他の表示システム４００のユーザが３人である場合について説明する。
【００９１】
図１０（Ａ）は、他の表示システム４００のユーザが３人である場合に、他の表示システム４００において撮像された撮像画像を説明するための説明図である。図１０（Ａ）において、他の表示システム４００において撮像された撮像画像ＩＭ１３は、上述したように情報処理装置２００における検出部２０４に送信されて、検出部２０４において他の表示システム４００の３人のユーザの顔をそれぞれ含む顔領域（図示しない）が検出される。
【００９２】
図１１（Ａ）〜図１１（Ｄ）は、表示装置１０２の表示画面に並列表示されたコンテンツと他の情報処理装置５００からの撮像画像とを説明するための説明図である。
【００９３】
図１１（Ａ）は、表示システム１００のユーザによる表示装置１０２の表示画面におけるコンテンツの表示領域と他の情報処理装置５００からの撮像画像の表示領域との表示比率の設定入力において、コンテンツの表示領域の比率がＡ９と、撮像画像の表示領域の表示比率がＢ９（Ｂ９＝０）と入力された場合であり、図１１（Ｂ）は、コンテンツの表示領域の比率がＡ１０と、撮像画像の表示領域の表示比率がＢ１０（Ｂ１０＜Ａ１０）と入力された場合であり、図１１（Ｃ）は、コンテンツの表示領域の比率がＡ１１と、撮像画像の表示領域の表示比率がＢ１１（Ｂ１１＝Ａ１１）と入力された場合であり、図１１（Ｄ）は、コンテンツの表示領域の比率がＡ１２（Ａ１２＝０）と、撮像画像の表示領域の表示比率がＢ１２と入力された場合である。
【００９４】
図１１（Ｂ）および図１１（Ｃ）に示すように、表示装置１０２の表示画面には、撮像画像の表示領域に撮像画像ＩＭ１３を切り出して生成された表示画像ＩＭ１９，ＩＭ２１が表示されて、コンテンツの表示領域に画像サイズが縮小された表示システム１００のユーザが所望するコンテンツＩＭ２０，ＩＭ２２が表示される。これにより、表示システム１００のユーザは、所望するコンテンツＩＭ２０，ＩＭ２２をその一部が隠されることなく視ることができ、また、撮像画像に写っている他の表示システム４００の３人のユーザを容易に判別することができるようになる。
【００９５】
なお、図１０（Ｂ）に示すように、他の表示システム４００のユーザが２人であって、他の表示システム６００のユーザが１人である場合に、表示装置１０２の表示画面に、表示システム１００のユーザが所望するコンテンツと、他の表示システム４００，６００において撮像された撮像画像ＩＭ１４，ＩＭ１５とが並列表示される場合についても、図１１（Ａ）〜図１１（Ｄ）（正確には図１１（Ｂ）および図１１（Ｃ））に示すように、表示装置１０２の表示画面に、ユーザが所望するコンテンツと、他の表示システム４００，６００において撮像された撮像画像とを並列表示させることができる。同様に、図１０（Ｃ）に示すように、他の表示システム４００のユーザが１人であって、他の表示システム６００のユーザが１人であり、他の表示システム（図示しない）のユーザが１人である場合に、表示装置１０２の表示画面に、表示システム１００のユーザが所望するコンテンツと、他の表示システム４００，６００や他の表示システム（図示しない）において撮像された撮像画像ＩＭ１６，ＩＭ１７，ＩＭ１８とが並列表示される場合についても、図１１（Ａ）〜図１１（Ｄ）（正確には図１１（Ｂ）および図１１（Ｃ））に示すように、表示装置１０２の表示画面に、ユーザが所望するコンテンツと、他の表示システム４００，６００や他の表示システム（図示しない）において撮像された撮像画像とを並列表示させることができる。
【００９６】
また、図１２（Ａ）〜図１２（Ｄ）（正確には図１２（Ｂ）および図１２（Ｃ））に示すように、他の表示システム４００などのユーザが４人である場合においても、同様に、表示装置１０２の表示画面に、表示システム１００のユーザが所望するコンテンツと、他の表示システム４００などにおいて撮像された撮像画像（図示しない）とを並列表示させることができる。
【００９７】
図１４（Ａ）〜図１４（Ｃ）は、本発明の第４の実施例について説明するための説明図である。本第４の実施例では、図２における表示装置１０２の表示画面に、表示システム１００のユーザが所望するコンテンツと、他の表示システム４００において撮像された撮像画像とが並列表示される場合について説明する。なお、本第４の実施例では、他の表示システム４００のユーザが１人であって、他の表示システム４００において撮像された撮像画像においてユーザが端に位置する場合について説明する。
【００９８】
図１４（Ａ）は、他の表示システム４００において撮像された撮像画像を説明するための説明図である。図１４（Ａ）において、他の表示システム４００において撮像された撮像画像ＩＭ２３は、上述したように情報処理装置２００における検出部２０４に送信されて、検出部２０４において他の表示システム４００のユーザの顔を含む顔領域ＦＡ４が検出される。
【００９９】
図１４（Ｂ）および図１４（Ｃ）は、表示装置１０２の表示画面に並列表示されたコンテンツと他の情報処理装置５００からの撮像画像とを説明するための説明図である。
【０１００】
図１４（Ｂ）に示すように、表示装置１０２の表示画面には、撮像画像の表示領域に撮像画像ＩＭ２３を切り出して生成された表示画像ＩＭ２４が表示されて、コンテンツの表示領域に画像サイズが縮小された表示システム１００のユーザが所望するコンテンツＩＭ２５が表示される。
【０１０１】
図１４（Ｂ）に示すように、撮像画像においてユーザが端に位置する場合に、顔領域ＦＡ４を中心として撮像画像ＩＭ２３を切り出して表示画像ＩＭ２４を生成すると、撮像画像の表示領域には無駄な領域としての無効領域Ｒ１を含む表示画像ＩＭ２４が表示される。
【０１０２】
そこで、本第４の実施例では、撮像画像においてユーザが端に位置する場合には、撮像画像の表示領域に無効領域Ｒ１が表示されないように撮像画像ＩＭ２３を切り出して表示画像ＩＭ２６を生成する。例えば、図１４（Ａ）に示すように、撮像画像においてユーザが右端に位置する場合には、撮像画像ＩＭ２３の右側の縁を基準として撮像画像ＩＭ２３を切り出して表示画像ＩＭ２６を生成する。この場合、図１４（Ｃ）に示すように、表示装置１０２の表示画面には、撮像画像の表示領域に無効領域Ｒ１を含まない表示画像ＩＭ２６が表示されて、コンテンツの表示領域に画像サイズが縮小された表示システム１００のユーザが所望するコンテンツＩＭ２７が表示される。これにより、表示システム１００のユーザに違和感や不快感などを与えることを防止することができるようになる。
【０１０３】
図１５（Ａ）〜図１５（Ｄ）は、本発明の第５の実施例について説明するための説明図である。本第５の実施例では、図２における表示装置１０２の表示画面に、表示システム１００のユーザが所望するコンテンツと、他の表示システム４００において撮像された撮像画像とが並列表示される場合について説明する。なお、本第５の実施例では、他の表示システム４００のユーザが２人であって、他の表示システム４００において撮像された撮像画像において２人のユーザが近い位置に存在する場合について説明する。
【０１０４】
図１５（Ａ）は、他の表示システム４００のユーザが２人である場合に、他の表示システム４００において撮像された撮像画像を説明するための説明図である。図１５（Ａ）において、他の表示システム４００において撮像された撮像画像ＩＭ２８は、上述したように情報処理装置２００における検出部２０４に送信されて、検出部２０４において他の表示システム４００の２人のユーザの顔をそれぞれ含む顔領域ＦＡ５，ＦＡ６が検出される。
【０１０５】
図１５（Ｂ）〜図１５（Ｄ）は、表示装置１０２の表示画面に並列表示されたコンテンツと他の情報処理装置５００からの撮像画像とを説明するための説明図である。
【０１０６】
図１５（Ｂ）に示すように、表示装置１０２の表示画面には、撮像画像の表示領域に撮像画像ＩＭ２８を切り出して生成された表示画像ＩＭ２９が表示されて、コンテンツの表示領域に画像サイズが縮小された表示システム１００のユーザが所望するコンテンツＩＭ３０が表示される。
【０１０７】
図１５（Ｂ）に示すように、撮像画像において２人のユーザが近い位置に存在する場合に、顔領域ＦＡ５，ＦＡ６をそれぞれ中心として撮像画像ＩＭ２８を切り出して表示画像ＩＭ２９を生成すると、撮像画像の表示領域には同一な画像が表示される同一領域Ｒ２を含む表示画像ＩＭ２９が表示される。
【０１０８】
そこで、本第５の実施例では、撮像画像において２人のユーザが近い位置に存在する場合には、撮像画像の表示領域に同一領域Ｒ２が表示されないように撮像画像ＩＭ２８を切り出して表示画像ＩＭ３１を生成する。この場合、図１５（Ｃ）に示すように、表示装置１０２の表示画面には、撮像画像の表示領域に同一領域Ｒ２を含まない表示画像ＩＭ３１が表示されて、コンテンツの表示領域に画像サイズが縮小された表示システム１００のユーザが所望するコンテンツＩＭ３２が表示される。これにより、表示システム１００のユーザに違和感や不快感などを与えることを防止することができるようになる。
【０１０９】
また、本第５の実施例では、撮像画像において２人のユーザが近い位置に存在する場合には、他の表示システム４００のユーザが１人であると見做して、少なくとも当該２人のユーザの顔の特徴的な部分が含まれるように、撮像画像ＩＭ２８を切り出して表示画像ＩＭ３３を生成してもよい。この場合においても、図１５（Ｄ）に示すように、表示装置１０２の表示画面には、撮像画像の表示領域に同一領域Ｒ２を含まない表示画像ＩＭ３３が表示されて、コンテンツの表示領域に画像サイズが縮小された表示システム１００のユーザが所望するコンテンツＩＭ３４が表示される。図１５（Ｃ）における表示画像ＩＭ３１は２つの画像が並べられて生成された画像であるが、図１５（Ｄ）における表示画像ＩＭ３３は１つの画像、すなわち上述した２つの画像が統合されている画像である。これにより、表示システム１００のユーザに違和感や不快感などを与えることを防止することができるようになる。
【０１１０】
図１６（Ａ）〜図１６（Ｆ）は、本発明の第６の実施例について説明するための説明図である。本第６の実施例では、撮像画像における切り出し領域の設定について説明する。図１６（Ａ）〜図１６（Ｆ）は、撮像画像における切り出し領域の設定について説明するための説明図である。
【０１１１】
本第６の実施例では、図１６（Ａ）〜図１６（Ｃ）に示すように、撮像画像ＩＭ３５において、ユーザの顔の中心を通る縦軸ＶＡを基準として切り出し領域ＣＡ１，ＣＡ２，ＣＡ３を設定するようにする。
【０１１２】
また、本第６の実施例では、図１６（Ｄ）〜図１６（Ｆ）に示すように、撮像画像ＩＭ３５において、ユーザの顔の中心を通る縦軸ＶＡ、および例えばユーザの顔の両目を通る横軸ＨＡを基準として切り出し領域ＣＡ４，ＣＡ５，ＣＡ６を設定するようにしてもよい。
【０１１３】
［６．情報処理装置の機能構成（第２の実施の形態）］
次に、本発明の第２の実施の形態に係る情報処理装置の機能構成について説明する。図１３は、本実施の形態に係る情報処理装置の機能構成の一例を説明するための説明図である。本実施の形態における情報処理装置としての情報処理装置２５０は、撮像部２５２と、表示部２５４とを備えている点が、上述した第１の実施の形態と異なるのみであるので、重複した構成、作用については説明を省略し、以下に異なる構成、作用についての説明を行う。
【０１１４】
なお、図１３には、情報処理装置２５０のユーザとしてのユーザＡと、情報処理装置２５０が接続可能な通信ネットワーク８００と、通信ネットワーク８００に接続可能な通信サーバ３００や他の情報処理装置５５０，７５０と、他の情報処理装置５５０のユーザとしてのユーザＢ，Ｃと、他の情報処理装置７５０のユーザとしてのユーザＤとが示されている。他の情報処理装置５５０，７５０は、情報処理装置２５０と同様の構成を有するため、詳細な説明は省略する。
【０１１５】
図１３において、情報処理装置２５０は、例えば、撮像部２５２と、検出部２０４と、人数把握部２０６と、設定部２０８と、表示画像生成部２１０と、通信部２１２と、表示部２５４と、表示制御部２１６とを備える。
【０１１６】
撮像部２５２は、本発明の撮像部の一例であり、表示部２５４の表示画面を見ているユーザＡの静止画像または動画像を撮像することができる。そして、撮像部２５２は、撮像により生成した撮像画像を通信部２１２や、検出部２０４、表示画像生成部２１０に伝達することができる。
【０１１７】
表示部２５４は、本発明の表示部の一例であり、静止画像または動画像のコンテンツと、他の情報処理装置５５０，７５０からの撮像画像とを並列表示することができる。例えば、表示部２５４は、表示画面におけるコンテンツの表示領域に静止画像または動画像のコンテンツを表示し、他の情報処理装置５５０，７５０からの撮像画像の表示領域に他の情報処理装置５５０，７５０からの撮像画像を表示することができる。
【０１１８】
本実施の形態によれば、情報処理装置２５０が上述した図４の表示処理を実行することにより、上述した第１の実施の形態と同様の効果を奏することができる。さらに、本実施の形態によれば、例えば、図２に示す表示システム１００を別途用意する必要をなくすことができ、簡易に実施することができるようになる。
【０１１９】
また、本発明の目的は、上述した各実施の形態の機能を実現するソフトウェアのプログラムコードを記憶した記憶媒体を、システムあるいは装置に供給し、そのシステムあるいは装置のコンピュータ（またはＣＰＵやＭＰＵ等）が記憶媒体に格納されたプログラムコードを読み出し実行することによっても達成される。
【０１２０】
この場合、記憶媒体から読み出されたプログラムコード自体が上述した各実施の形態の機能を実現することになり、そのプログラムコードおよび該プログラムコードを記憶した記憶媒体は本発明を構成することになる。
【０１２１】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【０１２２】
また、コンピュータが読み出したプログラムコードを実行することにより、上述した各実施の形態の機能が実現されるだけではなく、そのプログラムコードの指示に基づき、コンピュータ上で稼動しているＯＳ（オペレーティングシステム）等が実際の処理の一部または全部を行い、その処理によって上述した各実施の形態の機能が実現される場合も含まれる。
【０１２３】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わるＣＰＵ等が実際の処理の一部または全部を行い、その処理によって上述した各実施の形態の機能が実現される場合も含まれる。
【０１２４】
以上、添付図面を参照しながら本発明の好適な実施の形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１２５】
例えば、通信サーバ３００において、他の情報処理装置５００，７００からの撮像画像から他の情報処理装置５００，７００のユーザの顔を含む顔領域を検出するようにしてもよい。
【０１２６】
また、情報処理装置２００は、ユーザＡが所望するコンテンツを他の情報処理装置５００，７００に送信して、ユーザ間でコンテンツを共有するようにしてもよい。
【符号の説明】
【０１２７】
１００    表示システム
１０２    表示装置
１０４    撮像装置
２００    情報処理装置
２０２    入力部
２０４    検出部
２０６    人数把握部
２０８    設定部
２１０    表示画像生成部
２１２    通信部
２１４    出力部
２１６    表示制御部
３００    通信サーバ
４００，６００    他の表示システム
５００，７００    他の情報処理装置
８００    通信ネットワーク
【図１】
0005740972.tif 000002
【図２】
0005740972.tif 000003
【図３】
0005740972.tif 000004
【図４】
0005740972.tif 000005
【図５】
0005740972.tif 000006
【図６】
0005740972.tif 000007
【図７】
0005740972.tif 000008
【図８】
0005740972.tif 000009
【図９】
0005740972.tif 000010
【図１０】
0005740972.tif 000011
【図１１】
0005740972.tif 000012
【図１２】
0005740972.tif 000013
【図１３】
0005740972.tif 000014
【図１４】
0005740972.tif 000015
【図１５】
0005740972.tif 000016
【図１６】
0005740972.tif 000017